(57)【要約】【課題】  作業者が機体前方からの乗降時に身体姿勢を保つことを容易にする構成を低コストで実現する。【解決手段】  本発明の乗用型苗移植機１は、走行機体４と、該走行機体４上に設けられた、運転席１３を含む運転部６と、該運転部６から走行機体４の前端部に渡って設けられた運転部ステップ９と、該運転部ステップ９の前方に該運転部ステップ９の踏面よりも一段低く位置するように設けられた前部ステップ１０とを備えている。さらに、走行機体４の前端側から前記運転席側へ延設された手すり１１を備えている。前部ステップ１０は、基端部が走行機体４の前端部に取り付けられて、先端部が前方に突出されている。手すり１１は、走行機体４の前端側にある下端部１１ａが前部ステップ１０の先端側に取り付けられ、前記運転席側にある上端部１１ｂが走行機体４に直接又は間接的に取り付けられている。【選択図】      図１
2018186782.tif 000002
【特許請求の範囲】
【請求項１】
走行機体と、該走行機体上に設けられた、運転席を含む運転部と、該運転部から前記走行機体前端部に渡って設けられた運転部ステップと、該運転部ステップの前方に該運転部ステップの踏面よりも一段低く位置するように設けられた前部ステップとを備えている乗用型苗移植機であって、
前記走行機体の前端側から前記運転席側へ延設された手すりを備え、
前記前部ステップは、基端部が前記走行機体の前端部に取り付けられて、先端部が前方に突出されており、
前記手すりは、前記走行機体の前端側にある下端部が前記前部ステップの先端側に取り付けられ、前記運転席側にある上端部が前記走行機体に直接又は間接的に取り付けられている乗用型苗移植機。
【発明の詳細な説明】
【技術分野】
【０００１】
本発明は、機体前方から乗降可能に構成された乗用型苗移植機に関するものである。
【背景技術】
【０００２】
乗用型苗移植機に係る第一の背景技術としては、特許文献１に記載された乗用型田植機を例示する。この乗用型田植機は、左右一対の前車輪及び左右一対の後車輪によって自走する走行車体１００を備えている。走行車体１００の前部に、前車輪及び後車輪に駆動力を出力する原動部１０１を設けてある。走行車体１００の後部には運転座席１０２を有した搭乗型の運転部１０３を設けてある。運転部１０３に備えた運転部ステップ１０４は、メインステップ１０５とその左右両側に配備された拡張ステップ１０６とを備えている。メインステップ１０５の前端部よりも前方側の機体端部に、走行車体１００の前方側から該メインステップ１０５に対して乗り降りする際に用いられる前部ステップ１０７が設けられている。この前部ステップ１０７の踏面１０７ａは運転部ステップ１０４の上面よりも一段低く位置するように設けられている。
【０００３】
乗用型苗移植機に係る第二の背景技術としては、特許文献２に記載された苗移植機を例示する。この苗移植機は、走行するための４つの車輪を有する走行車体２００を備え、該走行車体２００には、操縦席が設置されている。また、この苗移植機は、走行車体２００上に設けられたフロアステップ２０１と、その外側に設けられた延長ステップ２０２とを備え、延長ステップ２０２の前側にはフロントステップ２０３が設けられている。この苗移植機も、特許文献１の乗用型田植機と同様に、走行車体の前方側から操縦席に乗降可能に構成されている。
【先行技術文献】
【特許文献】
【０００４】
【特許文献１】特開２０１６−７７２００号公報
【特許文献２】特開２０１７−５１１２１号公報
【発明の概要】
【発明が解決しようとする課題】
【０００５】
ところが、前部ステップ１０７やフロントステップ２０３は機体における圃場への接地箇所である車輪から前方に離れた機体前端部に設けられているとともに、田植時の圃場は水が張られて地面がぬかるんでいるため、背景技術に係る移植機において、田植作業中に、前方を畦ぎわに向けて停車した状態で、機体前方から作業者が乗降しようとすると、その体重で走行機体が大きく揺れ易い。そのため、作業者が身体姿勢を保つことが困難であり、乗降し難いという課題がある。
【０００６】
そこで、新たに作業者が身体姿勢を保つための部材を設けることも考えられるが、そのために部品点数が増えるとともに、製造時にその取り付けの手間が増え、コストが増大するという課題が生じる。
【課題を解決するための手段】
【０００７】
前記課題を解決するために、本発明の乗用型苗移植機は、
走行機体と、該走行機体上に設けられた、運転席を含む運転部と、該運転部から前記走行機体前端部に渡って設けられた運転部ステップと、該運転部ステップの前方に該運転部ステップの踏面よりも一段低く位置するように設けられた前部ステップとを備えている乗用型苗移植機であって、
前記走行機体の前端側から前記運転席側へ延設された手すりを備え、
前記前部ステップは、基端部が前記走行機体の前端部に取り付けられて、先端部が前方に突出されており、
前記手すりは、前記走行機体の前端側にある下端部が前記前部ステップの先端側に取り付けられ、前記運転席側にある上端部が前記走行機体に直接又は間接的に取り付けられている。
【０００８】
前記走行機体に間接的に取り付けられた態様としては、特に限定されないが、前記走行機体に取り付けられた部材（前記前部ステップを除く。例えば、支柱）に取り付けられた態様を例示する。
【０００９】
この構成によれば、前記手すりが設けられているので、作業者が走行機体前側からの乗降時に身体姿勢を保つことが容易となる。さらに、前記前部ステップが、前記手すりの基端部を取り付ける台座の役割を兼ねているため、該台座を別途用意する必要がなく、コストの増大を抑制することができる。
また、この構成によれば、前記前部ステップの先端部が前記手すりを介して、前記走行機体又は該走行機体上の部材に連結されるように構成されており、前記手すりが前記前部ステップを補強する役割を兼ねている。そのため、該前部ステップに別途の補強手段を設ける必要がなく、コストの増大を抑制することができる。
また、既存の乗用型苗移植機に対して、前記前部ステップ及び前記手すりを取り付ける場合に、前記前部ステップの基端部と前記手すりの上端部との被取付場所を確保すればよく、前記前部ステップ及び前記手すりを個別に取り付けるよりも、容易に取り付けることができる。
【発明の効果】
【００１０】
本発明に係る乗用型苗移植機によれば、作業者が機体前方からの乗降時に身体姿勢を保つことを容易にする構成を低コストで実現することができるという優れた効果を奏する。
【図面の簡単な説明】
【００１１】
【図１】本発明を具体化した一実施形態に係る乗用型苗移植機の全体構成を示す写真である。
【図２】同乗用型苗移植機の要部正面図である。
【図３】同乗用型苗移植機の要部側面図である。
【図４】同乗用型苗移植機の前部ステップの取付構造を示す底面図である。
【図５】背景技術を示す図であり、（ａ）は第一の背景技術としての乗用型田植機を示す平面図であり、（ｂ）は第二の背景技術としての苗移植機を示す平面図である。
【発明を実施するための形態】
【００１２】
図１〜図４は本発明を具体化した一実施形態の乗用型苗移植機１を示しており、各図において、矢印Ｆは乗用型苗移植機１の機体前側を指し示している。
【００１３】
この苗移植機１は、左右一対の前輪２，２及び左右一対の後輪３によって自走する走行機体４を備えている。走行機体４の前部には、前輪２及び後輪３を駆動する動力部５が設けられている。走行機体４の後部には乗用型の運転部６が設けられている。走行機体４の後端部には、リンク機構（図示略）を介して苗植付部７が連結されている。動力部５の左右両外側には、予備苗を搭載するための予備苗搭載部８が設けられている。また、走行機体４上には運転部ステップ９が設けられ、該運転部ステップ９の前方には、走行機体４の前方側から該運転部ステップ９に対して乗り降りする際に用いられる前部ステップ１０が設けられている。走行機体４の前端側から前記運転席側へは、手すり１１が延設されている。
【００１４】
運転部６には、前輪２，２を操向するステアリングホイール１２と、該ステアリングホイール１２を操作する作業者が着座する運転席１３とを含む運転手段が設けられている。
【００１５】
運転部ステップ９は、運転部６から動力部５の両側における走行機体前端部に渡って設けられたメインステップ１６と、その左右両側に配設されたサイドステップ１７とを備えている。
【００１６】
前部ステップ１０は、動力部５の左右両側に位置するメインステップ１６の前方に対応して左右両側に設けられている。具体的には、各前部ステップ１０は、基端部が走行機体４の前端部に取付手段１５（本例ではボルト）で取り付けられており、先端部が前方に突出されるとともに、踏面１０ａが該運転部ステップ９の踏面９ａよりも一段低く位置するように設けられている。また、前部ステップ１０は、上面を踏面１０ａとする板材からなっており、踏面１０ａの形状は、平面視で先端部と基端部の左右両側とを頂点とする略三角形状であって、先端部が基端部よりも左右方向における外方へ張り出した形状に形成されている。
【００１７】
手すり１１は、走行機体４の前端側にある下端部１１ａが前部ステップ１０の先端側に取り付けられ、前記運転席側にある上端部１１ｂが走行機体４における運転部６の前側かつ動力部の側方に立設された支柱１８に取り付けられている。手すり１１の下端部１１ａは、本例では、前部ステップ１０の先端部に設けられた穴に嵌入され、溶接により取り付けられている。手すり１１の上端部１１ｂは、本例では、取付部材１９が溶接固定されており、支柱１８に溶接固定された被取付部材２０に対して取付手段２１（本例ではボルト及びナット）で固定されている。
【００１８】
以上のように構成された本例の乗用型苗移植機１によれば、手すり１１が設けられているので、作業者が走行機体４の前側からの乗降時に身体姿勢を保つことが容易となる。さらに、前部ステップ１０が、手すり１１の基端部を走行機体４に取り付ける台座の役割を兼ねているため、該台座を別途用意する必要がなく、コストの増大を抑制することができる。
また、この構成によれば、前部ステップ１０の先端部が手すり１１を介して、走行機体４上の支柱１８に連結されるように構成されており、手すり１１が前部ステップ１０を補強する役割を兼ねている。そのため、前部ステップ１０に別途の補強手段を設ける必要がなく、コストの増大を抑制することができる。
また、既存の乗用型苗移植機に対して、前部ステップ１０及び手すり１１を取り付ける場合に、前部ステップ１０の基端部と手すり１１の上端部１１ｂとの被取付場所を確保すればよく、前部ステップ１０及び手すり１１を個別に取り付けるよりも、容易に取り付けることができる。
【００１９】
なお、本発明は前記実施形態に限定されるものではなく、例えば以下のように、発明の趣旨から逸脱しない範囲で適宜変更して具体化することもできる。
（１）前部ステップ１０の取付位置を適宜変更すること。
（２）前部ステップ１０の形状を適宜変更すること。例えば、先端部の左右両側と、基端部の左右両側とを頂点とする矩形状に形成することが挙げられる。
（３）手すり１１の上端部１１ｂの取付場所を適宜変更すること。
【符号の説明】
【００２０】
１    乗用型苗移植機
２    前輪
３    後輪
４    走行機体
５    動力部
６    運転部
７    苗植付部
８    予備苗搭載部
９    運転部ステップ
９ａ  踏面
１０    前部ステップ
１０ａ  踏面
１１    手すり
１１ａ  下端部
１１ｂ  上端部
１２    ステアリングホイール
１３    運転席
１５    取付手段
１６    メインステップ
１７    サイドステップ
１８    支柱
１９    取付部材
２０    被取付部材
２１    取付手段
Ｆ    機体前側
【図１】
2018186782.tif 000003
【図２】
2018186782.tif 000004
【図３】
2018186782.tif 000005
【図４】
2018186782.tif 000006
【図５】
2018186782.tif 000007